(57)【要約】【課題】ライフナビゲーションシステムを提供する。【解決手段】表示手段と、入力手段と、現状分析を行うための質問情報と、該質問毎に７つの育の評点情報が関係付けられて記憶された質問データベースと、前記質問データベースに記憶されている質問情報を順に読み出して、前記表示手段に表示する質問処理手段と、前記質問処理手段によって表示された質問に対する回答を前記入力部から取得する回答取得手段と、前記質問データベースに記憶されている評点情報を参照して、前記質問情報に対する回答結果毎の評点情報を読み出し、前記７つの育毎の評点を算出する評点算出手段と、推論ルールベースを参照して、前記７つの育毎の評点に基づく行動目標を推論して求める推論手段と、前記求めた行動目標を前記表示手段に表示する行動目標出力手段とを備えた。【選択図】図１
2008009844.tif 000002
【特許請求の範囲】
【請求項１】
表示手段と、
入力手段と、
現状分析を行うための質問情報と、該質問毎に７つの育の評点情報が関係付けられて記憶された質問データベースと、
前記質問データベースに記憶されている質問情報を順に読み出して、前記表示手段に表示する質問処理手段と、
前記質問処理手段によって表示された質問に対する回答を前記入力部から取得する回答取得手段と、
前記質問データベースに記憶されている評点情報を参照して、前記質問情報に対する回答結果毎の評点情報を読み出し、前記７つの育毎の評点を算出する評点算出手段と、
推論ルールベースを参照して、前記７つの育毎の評点に基づく行動目標を推論して求める推論手段と、
前記求めた行動目標を前記表示手段に表示する行動目標出力手段と
を備えたことを特徴とするライフナビゲーションシステム。
【請求項２】
前記推論手段が作成した行動目標の情報を記憶する行動目標記憶手段と、
前記行動目標記憶手段に記憶されている行動目標が達成できたか否かをチェックするチェック処理手段と
をさらに備えたことを特徴とする請求項１に記載のライフナビゲーションシステム。
【請求項３】
行動目標の達成度毎に行うべき施策の情報が記憶された施策データベースと、
前記チェック処理手段によって得られた前記行動目標の達成度に応じた施策情報を前記施策データベースから読み出して前記表示手段に表示する施策出力手段と
をさらに備えたことを特徴とする請求項２に記載のライフナビゲーションシステム。
【発明の詳細な説明】
【技術分野】
【０００１】
本発明は、幸福な生活を送るために必要な行動目標を作成するライフナビゲーションシステムに関する。
【背景技術】
【０００２】
従来から、なりゆき人生を排除するために、自己の生存目標年齢や残された人生の全容を計画・設定し、自分がいま人生のどの位置に、どのような状況にあるかを常に検証・調整しながら歩むための長寿社会に対応した人生カレンダーが知られている（例えば、特許文献１参照）。このカレンダーは、年齢欄と、人生の過程を示す人生の過程欄と、人生計画や目標、行動計画を記入する記入欄を設け、自己の現在年齢及び自己の生存目標年齢を示す識別表示を設けたものである。
このカレンダーを用いれば、人生の全容を計画・設定、一望することができるとともに、全生涯を自覚し自分がいまどの位置に、どのような状況にあるかを検証し、未来に向って人生計画や目標、行動計画、現状を調整・管理することができる。
【特許文献１】特開２００５−３１３６５６号公報
【発明の開示】
【発明が解決しようとする課題】
【０００３】
しかしながら、特許文献１に示すカレンダーにあっては、計画や目標の立案は、従来の方法によって作成しなければならないため、幸福な生活を送るために必要な的確な行動目標を作成することができるとは限らない。また、目標達成の度合いを客観的に把握することができないため、目標達成のためにどのように行動すれば良いかを判断することができないという問題がある。
【０００４】
本発明は、このような事情に鑑みてなされたもので、幸福な生活を送るために必要な行動目標を作成し、この行動目標の達成度のチェックして、目標達成に導くことができるライフナビゲーションシステムを提供することを目的とする。
【課題を解決するための手段】
【０００５】
本発明は、表示手段と、入力手段と、現状分析を行うための質問情報と、該質問毎に７つの育の評点情報が関係付けられて記憶された質問データベースと、前記質問データベースに記憶されている質問情報を順に読み出して、前記表示手段に表示する質問処理手段と、前記質問処理手段によって表示された質問に対する回答を前記入力部から取得する回答取得手段と、前記質問データベースに記憶されている評点情報を参照して、前記質問情報に対する回答結果毎の評点情報を読み出し、前記７つの育毎の評点を算出する評点算出手段と、推論ルールベースを参照して、前記７つの育毎の評点に基づく行動目標を推論して求める推論手段と、前記求めた行動目標を前記表示手段に表示する行動目標出力手段とを備えたことを特徴とする。
【０００６】
本発明は、前記推論手段が作成した行動目標の情報を記憶する行動目標記憶手段と、前記行動目標記憶手段に記憶されている行動目標が達成できたか否かをチェックするチェック処理手段とをさらに備えたことを特徴とする。
【０００７】
本発明は、行動目標の達成度毎に行うべき施策の情報が記憶された施策データベースと、前記チェック処理手段によって得られた前記行動目標の達成度に応じた施策情報を前記施策データベースから読み出して前記表示手段に表示する施策出力手段とをさらに備えたことを特徴とする。
【発明の効果】
【０００８】
本発明によれば、現状分析の結果に基づいて、行動目標を推論して自動的に作成するようにしたため、現状に応じて的確な行動目標を作成することができるという効果が得られる。また、作成した行動目標を達成したか否かを日々チェックすることができるため、行動目標を達成させる意識を高めることができるという効果が得られる。また、行動目標の達成度に応じて、達成度を向上させるための施策を出力するようにしたため、この施策を実行することにより、達成度を向上させるように導くことができるという効果が得られる。
【発明を実施するための最良の形態】
【０００９】
以下、本発明の一実施形態によるライフナビゲーションシステムを説明する。まず、本発明によるライフナビゲーションシステムを実現するために基本となる７育５心３Ｖ法について説明する。７育５心３Ｖ法は、「７つの育」「５つの心」及び「３つのＶ」という要素から成り立っている。「生き方」を構成している機能や働き、構造という観点から細かく分解したものが「徳育」、「家育」、「知育」、「体育」、「美育」、「遊育」、「財育」からなる「７つの育」である。
【００１０】
すなわち、
（１）他人や社会への奉仕の精神、利他の心を持った倫理道徳、礼儀作法、ルール、マナー、エチケット、モラルなどの「徳育」
（２）家族愛、家族の絆、家族育成力、家族を良くする能力としての「家育」
（３）社会生活を営むために必要な知識、学習能力、業務遂行などに必要な専門的な知識、技術、能力であ芯「知育」
（４）規則正しい食事、運動によって体力を維持し、心身の健康を管理する「体育」
（５）感性を育み日常生活を美しく保つ能力、美に感動し美を創造する能力としての「美育」
（６）遊び心やゆとりを持って人生を楽しく生きる能力、趣味などで楽しみを広げる能力である「遊育」
（７）自立して経済を切り盛りする能力、家計を維持し、豊かな生活を営むための「財育」
である。
【００１１】
次に、「７つの育」を支える要素として「心の５つの力」がある。すなわち、
（１）喜びと感謝
（２）積極プラス思考力
（３）判断力・感情の統御力
（４）克己心・忍耐力
（５）勇気・行動力
である。
【００１２】
この心の５つの力を日々実践し、目標（vision）、挑戦行動（venture）、勝利・成功（victory）の「３つのＶ」を基に、人生の成功（ゴール）を目指すことが目的である。この「７育５心３Ｖ法」を日々実践していくことにより、生まれながらにして持っている大きな潜在能力が発揮されるようになり、その結果、品格が高められ、人間としての器が大きくなることで、物心両面の満足と公私にわたる人生の成功を実現し、真の自己実現を図ることができる。
【００１３】
このように７つに分解した「７育」に分類して現状を認識し、日々「目標管理」を行い、自分の目標に到達するように努力するのを支援するのが本発明によるライフナビゲーションシステムである。
【００１４】
次に、本発明の一実施形態によるライフナビゲーションシステムを図面を参照して説明する。図１は同実施形態の構成を示すブロック図である。この図において、符号１は、情報表示を行うディスプレイ装置等から構成する表示部である。符号２は、キーボードやマウス等の入力装置から構成する入力部である。符号３は、現状分析を行うための質問事項の情報と、各質問毎の評点が予め記憶された質問データベースである。符号４は、質問データベース３に記憶されている質問事項の情報を順に読み出して、表示部１へ表示を行う質問処理部である。符号５は、質問処理部４が表示した質問に対して、入力部２から入力された回答の情報を読み込むことにより回答を取得する回答取得部である。符号６は、回答取得部５が取得した回答情報を質問と特定できる情報と関連付けて記憶する回答記憶部である。符号７は、質問データベース３に記憶されている質問毎の評点を参照して、回答記憶部６に記憶されている質問毎の回答情報に対する評点を算出する評点算出部である。
【００１５】
符号８は、評点算出部７が算出した回答に対する評点算出結果を記憶する評点記憶部である。符号９は、現状分析を行うための質問に対する回答の評点算出結果に基づいて、目標とするべき行動目標を推論して作成する推論エンジンから構成する推論部である。符号１０は、行動目標を作成する際に推論部９が参照する推論ルールが予め記憶されたルールベースである。符号１１は、推論部９が作成した行動目標を表示部１に表示する行動目標出力部である。符号１２は、推論部９が作成した行動目標情報を記憶する行動目標記憶部である。符号１３は、生活する上での目標とするべき行動目標を実行できたか否かをチェックするチェック処理部である。符号１４は、チェック処理部１３のチェック結果の情報を記憶するチェック結果記憶部である。符号１５は、チェック結果記憶部１４に記憶されている行動目標を実行できたか否かのチェック結果に基づいて、行動目標を達成するための施策内容を表示部１へ表示する施策出力部である。符号１６は、行動目標を達成するための施策内容の情報が記憶された施策データベースである。
【００１６】
なお、図１に示すシステム構成は、１台のコンピュータで実現した例を示したが、表示部１、入力部２を除く構成をコンピュータサーバで構成し、表示部１及び入力部２を備えたコンピュータ端末との間をコンピュータネットワークで接続した構成としてもよい。また、表示部１及び入力部２をインターネット接続可能な移動通信端末（携帯電話端末）で実現してもよい。
【００１７】
次に、図３を参照して、図１に示す質問データベース３のテーブル構造を説明する。質問データベース３は、質問の文言毎に質問内容を一意に識別可能な質問番号が関連付けられている。また、各質問には、前述した７つの育毎の評点が予め定義されて関連付けられている。この評点は、質問に対して、「Ｙｅｓ」と回答した場合の７つの育の評点が定義されている。
【００１８】
次に、図４を参照して、図１に示す回答記憶部６のテーブル構造を説明する。回答記憶部６は、質問を一意に識別可能な質問番号と、回答取得部５が取得した回答結果（Ｙｅｓの場合は「Ｙ」、Ｎｏの場合は「Ｎ」）と、質問データベース３から読み出した７つの育の評点が関連付けられて記憶される。
【００１９】
次に、図５を参照して、図１に示す評点記憶部８のテーブル構造を説明する。評点記憶部８は、回答記憶部６に記憶されている各回答毎の評点を、７つの育毎に合計した評点合計値が記憶される。
【００２０】
次に、図６を参照して、図１に示す行動目標記憶部１２のテーブル構造を説明する。行動目標記憶部１２は、推論部９に作成された数（図６の例では５項目）の行動目標の文言と、各行動目標を識別するための目標番号が関連付けられて記憶される。
【００２１】
次に、図７を参照して、図１に示すチェック結果記憶部１４のテーブル構造を説明する。チェック結果記憶部１４は、チェックを実施した日付情報毎に、各目標番号の行動目標が達成できたか否かを示す情報（達成できた場合は「Ｙ」、達成できなかった場合は「Ｎ」）が記憶される。
【００２２】
次に、図８を参照して、図１に示す施策データベース１６のテーブル構造を説明する。施策データベース１６は、チェック結果記憶部１４に記憶されている各日付毎の「Ｙ」の数（行動目標を達成できた数）に応じた施策の文言が予め記憶されている。
【００２３】
次に、図２を参照して、図１に示すライフナビゲーションシステムの動作を説明する。まず、ユーザが行動目標を作成する機能の選択を入力部２から行うと、質問処理部４は、質問データベース３から質問の文言情報を読み出し、この読み出した質問の文言を表示部１へ表示する（ステップＳ１）。このとき、質問処理部４は、読み出した質問の質問番号を回答取得部５に通知するとともに、回答取得を指示する。ここで、ユーザは、表示部１に表示された質問の内容を読み、この質問に対する回答を「Ｙｅｓ」または「Ｎｏ」で回答する操作を入力部２に行う。これを受けて、回答取得部５は、入力部２における操作内容を読み取ることにより回答を取得する（ステップＳ２）。そして、回答取得部５は、質問処理部４から通知された質問番号と、入力部２から取得した回答内容を関連付けて、回答記憶部６へ記憶する。
【００２４】
次に、質問処理部４は、質問データベース３に記憶されている質問を全て読み出したか否かに基づいて、全ての質問を行ったか否かを判定する（ステップＳ３）。この判定の結果、全ての質問を行っていなければ、ステップＳ１へ戻り、次の質問を読み出して表示部１へ表示する。この処理を全ての質問が行われるまで繰り返し実行する。これにより、回答記憶部６には、全ての質問に対する回答（「Ｙ」または「Ｎ」）が記憶されたことになる。そして、回答取得部５は、全ての回答を取得した時点で、評点算出部７に対して、評点の算出を指示する。
【００２５】
次に、評点算出部７は、回答記憶部６に記憶されている各回答に対応する評点を質問データベース３から読み出し、各回答に関連付けて、回答記憶部６に記憶する。これにより、回答記憶部６には、各質問に対して、回答と評点が関連付けられて記憶されたことになる。続いて、評点算出部７は、回答記憶部６に記憶されている評点に基づいて、７つの育毎の合計値を算出して、評点記憶部８へ記憶する（ステップＳ４）。回答記憶部６の評点は、各桁が各育（「財育」、「知育」、「体育」、「家育」、「美育」、「遊育」、「徳育」）の評点に該当するため、７つの育毎の合計値は、回答記憶部６に記憶されている評点の各桁毎の合計を算出することにより行う。これにより、評点記憶部８には、「財育」、「知育」、「体育」、「家育」、「美育」、「遊育」、「徳育」それぞれの評点合計値が記憶されたことになる。この評点が、ユーザの現状の状態を分析した結果（現状分析）となる。そして、評点算出部７は、７つの育の評点合計値が算出された時点で、行動目標作成の指示を出す。
【００２６】
次に、推論部９は、評点記憶部８に記憶されている評点と、ルールベース１０に記憶されている推論知識ルールとに基づいて、行動目標の文言を作成して、行動目標記憶部１２へ記憶する（ステップＳ５）。このとき、推論部９は、複数の行動目標を作成する必要があると判断した場合は、複数の行動目標を作成する。行動目標の作成は、例えば、質問データベース３に記憶されている質問のうち、回答が「Ｎｏ」であったものを抽出し、これらの質問文言に基づいて行動目標の文言を作成する。そして、推論部９は、行動目標の作成が終了した時点で、行動目標出力部１１に対して、行動目標の出力を指示する。これを受けて、行動目標出力部１１は、行動目標記憶部１２に記憶されている行動目標の文言を読み出して、表示部１へ表示する。ここで表示された行動目標がユーザが生活する上で目標とするべき行動目標となる。
【００２７】
次に、行動目標が作成済みの状態において、任意のタイミングでユーザが行動目標の達成をチェックする機能を選択する選択を入力部２から行うと、チェック処理部１３は、行動目標出力部１１に対して、行動目標の出力を指示する。これを受けて、行動目標出力部１１は、行動目標記憶部１２に記憶されている行動目標の文言を１件ずつ読み出して、表示部１へ表示するとともに、この行動目標を達成できたか否かの質問を表示する（ステップＳ６）。ここで、ユーザは表示部１に表示された行動目標を達成できたか否か（達成できた場合は「Ｙｅｓ」、できなかった場合は「Ｎｏ」）を入力部２を操作して、回答する。チェック処理部１３は、入力部２において操作された内容を読み取ることにより、質問に対する回答を取得する（ステップＳ７）。そして、チェック処理部１３は、取得した回答の情報（「Ｙ」または「Ｎ」）を、チェックを実行した日付と関係付けてチェック結果記憶部１４に記憶する。
【００２８】
次に、チェック処理部１３は、行動目標記憶部１２に記憶されている行動目標に対する質問を全て行ったか否かを判定する（ステップＳ８）。この判定の結果、全ての質問を行っていなければ、ステップＳ６へ戻り、次の行動目標に対する回答を取得する処理を繰り返し実行する。これにより、チェック結果記憶部１４には、全ての行動目標に対する達成度の質問の回答（「Ｙ」または「Ｎ」）がチェック実行日付と関係付けられて記憶されたことになる。そして、チェック処理部１３は、全ての回答を取得した時点で、施策出力部１５に対して、目標達成度に応じた施策の出力を指示する。
【００２９】
次に、施策出力部１５は、チェック結果記憶部１４に記憶されている最新（日付が最も新しい）の回答結果のうち、回答結果が「Ｙ」である目標の数をカウントし、得られたカウント値（Ｙの数）に関係付けられた施策の文言を施策データベース１６から読み出して、表示部１へ表示する（ステップＳ９）。これにより、行動目標の達成度に応じてユーザが目標を達成するために行うべき施策の内容が表示されることになる。この行動目標を達成したか否かのチェックは、ユーザの操作に基づいて毎日実施される。これによって、行動目標の達成度を向上させることが可能となる。
【００３０】
このように、現状分析の結果に基づいて、行動目標を推論して自動的に作成するようにしたため、現状に応じて的確な行動目標を作成することができる。また、作成した行動目標を達成したか否かを日々チェックすることができるため、行動目標を達成させる意識を高めることができる。さらに、行動目標の達成度に応じて、達成度を向上させるための施策を出力するようにしたため、この施策を実行することにより、達成度を向上させるように導くことができる。
【００３１】
なお、図１における処理部の機能を実現するためのプログラムをコンピュータ読み取り可能な記録媒体に記録して、この記録媒体に記録されたプログラムをコンピュータシステムに読み込ませ、実行することによりライフナビゲート処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３３】
【図１】本発明の一実施形態の構成を示すブロック図である。
【図２】図１に示すシステムの動作を示すフローチャートである。
【図３】図１に示す質問データベース３のテーブル構造を示す説明図である。
【図４】図１に示す回答記憶部６のテーブル構造を示す説明図である。
【図５】図１に示す評点記憶部８のテーブル構造を示す説明図である。
【図６】図１に示す行動目標記憶部１２のテーブル構造を示す説明図である。
【図７】図１に示すチェック結果記憶部１４のテーブル構造を示す説明図である。
【図８】図１に示す施策データベース１６のテーブル構造を示す説明図である。
【符号の説明】
【００３４】
１・・・表示部、２・・・入力部、３・・・質問データベース、４・・・質問処理部、５・・・回答取得部、６・・・回答記憶部、７・・・評点算出部、８・・・評点記憶部、９・・・推論部、１０・・・ルールベース、１１・・・行動目標出力部、１２・・・行動目標記憶部、１３・・・チェック処理部、１４・・・チェック結果記憶部、１５・・・施策出力部、１６・・・施策データベース
【図１】
2008009844.tif 000003
【図２】
2008009844.tif 000004
【図３】
2008009844.tif 000005
【図４】
2008009844.tif 000006
【図５】
2008009844.tif 000007
【図６】
2008009844.tif 000008
【図７】
2008009844.tif 000009
【図８】
2008009844.tif 000010